(57)【特許請求の範囲】
【請求項１】
外面から順に２軸延伸プラスチック層と印刷層と熱可塑性樹脂層とが積層され細孔が形成された外装材の内面に、ポリオレフィン系樹脂からなる格子網状補強材層と酢酸ビニル含有率が６〜３０重量％のエチレン−酢酸ビニル共重合体層とが積層された細孔が形成されていない内装材を重ね合わせ、前記内装材を内側にして前記熱可塑性樹脂層と格子網状補強材層とを周縁の熱接着部で接着一体化し熱接着部以外の領域では外装材と内装材とが分離して空隙を形成した構成からなることを特徴とする乾燥剤用包装袋。
【請求項２】
外面から順に２軸延伸プラスチック層と印刷層と熱可塑性樹脂層とが積層され細孔が形成された外装材の内面に、ポリオレフィン系樹脂からなる格子網状補強材層と該格子網状補強材層の両面に酢酸ビニル含有率が６〜３０重量％のエチレン−酢酸ビニル共重合体層とが積層された細孔が形成されていない内装材を重ね合わせ、前記内装材を内側にして前記熱可塑性樹脂層と前記エチレンー酢酸ビニル共重合体層とを周縁の熱接着部で接着一体化し熱接着部以外の領域では外装材と内装材とが分離して空隙を形成した構成からなることを特徴とする乾燥剤用包装袋。
【請求項３】
前記外装材に形成された前記細孔が突き刺し孔であることを特徴とする請求項１または請求項２記載の乾燥剤用包装材。
【請求項４】
前記エチレン−酢酸ビニル共重合体層の厚さが１０〜２０μであることを特徴とする請求項１から３のいずれか記載の乾燥剤用包装材。
【請求項５】
少なくとも前記熱接着部の一部が、袋の端縁より所定の寸法だけ内側の位置に形成され、前記熱可塑性樹脂と前記格子網状補強材層もしくは前記エチレンー酢酸ビニル共重合体層とが剥離可能であることを特徴とする請求項１〜４のいずれか一項に記載の乾燥剤用包装袋。
【請求項６】
前記外装材と前記内装材とを重ね合わせ部分的に接着した状態で周縁を熱接着部により密封した構成からなることを特徴とする請求項１〜５のいずれか一項に記載の乾燥剤用包装袋。
【発明の詳細な説明】
【０００１】
【発明の属する技術分野】
本発明は表面に印刷層が設けられていない石灰等の乾燥剤を包装するための包装袋に関する。
【０００２】
【従来の技術】
従来、石灰等の乾燥剤を包装するための包装袋としては、紙等の通気性のある基材の表面に印刷層を設け裏面にポリエチレン層を積層した後に、ポリエチレン層を貫通するが紙等の通気性基材は貫通しない細孔を多数設けた構成のもの、ないしは紙等の通気性のある基材の表面に印刷層を設け裏面にポリエチレン層を介して割繊維不織布等を積層し更に割繊維不織布面にポリエチレン層を積層した後に、ポリエチレン層を貫通するが紙等の通気性基材は貫通しない細孔を多数設けた構成のもの等が一般的である。
【０００３】
しかしながら、上記の構成の乾燥剤用包装袋のいずれにおいても、紙層の表面に印刷層が形成されているために、内部に乾燥剤を収納した状態で食品と一緒に包装すると、包装されている食品に乾燥剤用包装袋の表面のインキが接触することになり、食品にインキが付着するおそれがある。そのため、印刷インキ工業連合会の制定した「食品包装材料用印刷インキに関する自主規制」（ＮＬ規制）に適合するインキを使用して印刷した場合においても、「食品に接触する面への印刷は、インキが食品に移行着色する場合もあり得るので避けるべきである」との見解に適合し得ず、着色剤として食用色素を使用し且つインキバインダーとして食品に接触してもよい樹脂を使用する必要があるために、インキの色調が制限されるとともに、インキが高価であるために乾燥剤用包装袋が高価になってしまうという欠点があった。また、乾燥剤用包装袋は安価で通気性のある紙で構成されているので包装されている食品に紙粉が付着したり、ポリエチレン層を貫通する細孔が形成されているので紙が突き破られて乾燥剤の微粉末が漏れだして食品に付着するという欠点があった。
【０００４】
乾燥剤用包装袋の表面のインキが内容物に接触してインキが内容物に付着するという上記の欠点を改良した乾燥剤用包装袋としては、乾燥剤用包装袋の外面となる紙層の内面に印刷層を形成した構成のものが考えられる。しかしながら、紙層の裏面に印刷層を設けた構成の乾燥剤用包装袋においては、紙層の厚さを乾燥剤用包装袋として必要な最小限まで薄くしても、印刷層にＰＬ法上必要な細い文字が含まれる場合に、紙層を通して判読し難いという欠点がある上に、乾燥剤用包装袋は安価で通気性のある紙で構成されているので、包装されている食品に紙粉が付着したり、ポリエチレン層を貫通する細孔が形成されているので、紙が突き破られやすく乾燥剤の微粉末が漏れだして食品に付着するという欠点が解消されないという欠点がある。
【０００５】
【発明が解決しようとする課題】
本発明の目的は、印刷されている細い文字が鮮明に読み取れるとともに、一緒に包装される食品等にインキないし紙粉が付着することがなく、且つ乾燥剤の微粉末が漏れ出すことのない乾燥剤用包装袋を提供することにある。
【０００６】
【課題を解決するための手段】
本発明の乾燥剤用包装袋は、外面から順に２軸延伸プラスチック層と印刷層と熱可塑性樹脂層とが積層され細孔が形成された外装材の内面に、ポリオレフィン系樹脂からなる格子網状補強材層と酢酸ビニル含有率が６〜３０重量％のエチレン−酢酸ビニル共重合体層とが積層された細孔が形成されていない内装材を重ね合わせ、前記内装材を内側にして前記熱可塑性樹脂層と格子網状補強材層とを周縁の熱接着部で接着一体化し熱接着部以外の領域では外装材と内装材とが分離して空隙を形成した構成からなることを特徴とする。また本発明の乾燥剤用包装袋は、外面から順に２軸延伸プラスチック層と印刷層と熱可塑性樹脂層とが積層され細孔が形成された外装材の内面に、ポリオレフィン系樹脂からなる格子網状補強材層と該格子網状補強材層の両面に酢酸ビニル含有率が６〜３０重量％のエチレン−酢酸ビニル共重合体層とが積層された細孔が形成されていない内装材を重ね合わせ、前記内装材を内側にして前記熱可塑性樹脂層と前記エチレンー酢酸ビニル共重合体層とを周縁の熱接着部で接着一体化し熱接着部以外の領域では外装材と内装材とが分離して空隙を形成した構成からなる。印刷層が２軸延伸プラスチック層の内面に設けられているので、一緒に包装される食品等に印刷層が接触することがなく、且つ印刷層に細かい文字等がある場合でも透明な２軸延伸プラスチック層を通して鮮明に読み取ることができる。また、内装材に酢酸ビニル含有率が６〜３０重量％のエチレン−酢酸ビニル共重合体層を積層することにより細孔を形成しなくとも必要な透湿度が得られるので、細孔から乾燥剤の微粉末が漏れ出してくることがない。更に、乾燥剤用包装袋に紙層を使用しないので紙粉が食品等に付着することもない。
【０００７】
上記の乾燥剤用包装袋において、前記外装材に形成する前記細孔を突き刺し孔とすることで、細い針を埋め込んだ簡単な穿孔装置により細孔を形成することができるとともに、形成する細孔の数を変えることにより外装材の透湿度を調節できるので、用途により乾燥剤用包装袋の透湿度を変える必要がある場合でも対応が容易である。また、細孔が小さいので印刷層に細かい文字がある場合でも細孔による影響はなく鮮明に読み取ることができる。
【０００８】
上記の乾燥剤用包装袋において、前記エチレン−酢酸ビニル共重合体層の厚さを１０〜２０μとすることにより、内装材に細孔を形成しなくとも乾燥剤用包装袋として必要な適度の透湿度を確保することができる。
【００１０】
上記の乾燥剤用包装袋において、少なくとも前記熱接着部の一部を、袋の端縁より所定の寸法だけ内側の位置に形成され、前記熱可塑性樹脂と前記格子網状補強材層もしくは前記エチレンー酢酸ビニル共重合体層とが剥離可能であることにより、熱接着部の外側の熱接着されていない部分から外装材と内層材間の接着を剥離させることにより乾燥剤用包装袋の吸湿速度を変化させることが可能になる。
【００１１】
上記の乾燥剤用包装袋において、前記外装材と前記内装材とを重ね合わせ部分的に接着した状態で周縁を熱接着部により密封した構成とすることにより、乾燥剤を自動充填包装する際に重ね合わされた外装材と内装材とがずれることによりしわが発生する等のトラブルが防止できるので包装適性の優れたものとなる。
【００１２】
【発明の実施の形態】
以下、図面を用いて本発明の実施の形態を説明する。図１は第１実施形態を示す平面図、図２は第１実施形態の構成を示す図１におけるＩ−Ｉ断面図、図３は第２実施形態の構成を示す図２に対応した断面図、図４は第３実施形態を示す平面図、図５は第３実施形態の構成を示す図４におけるＩ−Ｉ断面図であり、1, 1’は外装材、2, 2' は内装材、3a, 3bは熱接着部、４は細孔、５は非熱接着部、11は２軸延伸プラスチック層、12は印刷層、13, 13’は熱可塑性樹脂層、21は格子網状補強材層、22，23はエチレン−酢酸ビニル共重合体層をそれぞれ表す。
【００１３】
本発明の乾燥剤用包装袋の第１実施形態は図１、図２に示すとおりである。平面形状は、図１に示すように、四角形状の外装材１と内装材２を重ね合わせて内装材２を内側にして２つ折りし折目以外の周縁部を熱接着部3a,3b により接着して密封されており、熱接着部3a,3b において外装材１と内装材２とが接着されて固定されており、熱接着部3a,3b 以外の領域において外装材１と内装材２とは接着されておらず分離して空隙を形成している構成である。外装材１には突き刺しにより形成された貫通する細孔４が多数形成されている。第１実施形態の形状は３方シール袋となっているが、袋の形状は任意であり４方シール袋、ピロータイプ袋とすることもできる。
【００１４】
第１実施形態の積層構成は、図２に示すように、外装材１と内装材２とからなり、外装材１は２軸延伸プラスチック層11と印刷層12と熱可塑性樹脂層13との積層体からなり細孔４が形成された構成であり、内装材２は格子網状補強材層21と酢酸ビニル含有率が６〜３０重量％のエチレン−酢酸ビニル共重合体層22との積層体からなり細孔が形成されていない構成である。外装材１の熱可塑性樹脂層13面に内装材２の格子網状補強材層21が接するように重ね合わせ、内装材２を内面にして２つ折りし周縁部を熱接着することにより、周縁の熱接着部3a,3b にて外装材１の内面の熱可塑性樹脂13と内装材２の外面の格子網状補強材層21とが接着して外装材１と内装材２とが一体化されており、熱接着部3a,3b 以外の領域では外装材１と内装材２とは接着せずに分離した状態となっている。第１実施形態においては、熱接着部3a,3b 以外の領域においては外装材１と内装材２とは接着されておらず分離しており空隙を形成している状態であるが、熱接着部3a,3b 以外の領域において外装材１と内装材２とを部分的に接着して固定しておくようにしてもよい。格子網状補強材層21としてポリオレフィン系樹脂からなるものが一般的に使用されるので、外装材１の内面の熱可塑性樹脂層13と格子網状補強材層21との熱接着が可能である。
【００１５】
内装材２は格子網状補強材層21とエチレン−酢酸ビニル共重合体層22との積層体からなり細孔４は形成されていないが、エチレン−酢酸ビニル共重合体層22として酢酸ビニル含有率が６〜３０重量％のエチレン−酢酸ビニル共重合体を使用することにより内装材２の透湿度を大きくすることが可能となるので、外装材１にのみ細孔４を形成しておくだけで、外装材１と内装材２とが周縁の熱接着部3a,3b にて接着されて重合された状態で乾燥剤用包装袋として必要とする透湿度が得られるものである。内装材２には細孔４が形成されていないので、初期には硬い顆粒状であり、内部に収納される乾燥剤が吸湿とともに砕けて微粉末状となっても外部に漏れだす心配はない。また、印刷層12は２軸延伸プラスチック層11の内面に形成されているので、食品と一緒に包装された際にも印刷層12を形成するインキが食品に付着するおそれがなく、且つ印刷層12に細かい文字がある場合でも外部から透明な２軸延伸プラスチック層11を通して鮮明に読み取ることができる。
【００１６】
本発明の乾燥剤用包装袋の第２実施形態は図１、図３に示すとおりである。平面形状は、図１に示すとおりで第１実施形態と同じである。第２実施形態の積層構成は、図３に示すとおり、外装材１は第１実施形態と同じであって２軸延伸プラスチック層11と印刷層12と熱可塑性樹脂層13との積層体からなり細孔４が形成された構成であり、内装材2'は酢酸ビニル含有率が６〜３０重量％のエチレン−酢酸ビニル共重合体層23と格子網状補強材層21と酢酸ビニル含有率が６〜３０重量％のエチレン−酢酸ビニル共重合体層22との積層体からなり細孔が形成されていない構成である。第２実施形態の場合には、乾燥剤用包装袋の周縁の熱接着部3a,3b において、外装材１の内面の熱可塑性樹脂層13面と内装材2'の外面のエチレン−酢酸ビニル共重合体層23面とを熱接着することになるので、外装材１と内装材２との接着性が優れる。第２実施形態の場合においても乾燥剤用包装袋としての効果は第１実施形態と同様である。
【００１７】
本発明の乾燥剤用包装袋の第３実施形態の積層構成は、図５に示すとおり、外装材1'は２軸延伸プラスチック層11と印刷層12と易剥離性の熱可塑性樹脂層13' との積層体からなり細孔４が形成された構成であり、内装材２は格子網状補強材層21と酢酸ビニル含有率が６〜３０重量％のエチレン−酢酸ビニル共重合体層22との積層体からなり細孔が形成されていない構成である。第３実施形態においても乾燥剤用包装袋としての効果は第１実施形態と同様である。第３実施形態の場合には、熱接着部3bの外側の熱接着されていない領域をきっかけにして外装材1'と内装材２とが接着されている熱接着部3bを剥離することにより、乾燥剤用包装袋の透湿度を調整することができる効果がある。乾燥剤用包装袋の周縁の熱接着部3a,3b において、外装材1'の内面の熱可塑性樹脂層13' 面と内装材２の外面の格子網状補強材層21面とを剥離させる必要があるので、熱可塑性樹脂層13' として易剥離性樹脂を使用することが必要である。第３実施形態の場合においても、内装材をエチレン−酢酸ビニル共重合体層23と格子網状補強材層21とエチレン−酢酸ビニル共重合体層22との積層体からなる構成としてもよい。
【００１８】
本発明の乾燥剤用包装袋においては、印刷層12は２軸延伸プラスチック層11の内面に設けられるので表面に露出することがなく、印刷層12を形成するためのインキとしては、印刷インキ工業連合会の制定した「食品包装材料用印刷インキに関する自主規制」（ＮＬ規制）に適合する一般的に包装材料の印刷に使用されているインキを使用して印刷することができる。紙層の表面に印刷層が形成されている従来の乾燥剤用包装材のように、着色剤として食用色素を使用し、インキバインダー用樹脂として食品に接触してもよいものを使用する必要がないので、印刷適性の優れた安価なインキを使用することができるとともに任意の色調のインキを使用することができるものである。
【００１９】
格子網状補強材層21としては、例えば日石ワリフ（日本石油化学製）、クレネツト（クラボー製）、ソフネツト，ソフクロス（新日本ソフ製）等のポリエチレン、ポリプロピレンなどからなるネツト状物が使用できる。格子の間隔は１〜５ｍｍが適当である。１ｍｍ以下のものでは包装材面積の大半を格子状繊維が占めるために水蒸気の透過しやすい面積が狭くなるために、内装材2,2'の単位面積当たりの透湿度が低下するとともに価格が高くなるので実用上好ましくない。一方、格子の間隔が６ｍｍ以上のときは内容物の粒状物がその間から突き破って出てきたり、引き裂き強度が低下するという問題がある。最も好ましい間隔は２〜４ｍｍの範囲である。格子網状補強材層21を構成する樹脂としてはポリエチレンないしはポリプロピレンとすることにより、格子網状補強材層21と外装材1, 1' の内面の熱可塑性樹脂層13,13'との熱接着性、およびエチレン−酢酸ビニル共重合体層22，23との接着性に優れるので好ましい。
【００２０】
エチレン−酢酸ビニル共重合体層22,23 に使用するエチレン−酢酸ビニル共重合体樹脂は、酢酸ビニル含有率が６〜３０重量％のものを使用することが必要である。酢酸ビニル含有率が６重量％以下のものでは透湿度が小さくなり、細孔４を形成しない内装材２としては使用できない。一方、酢酸ビニル含有率が３０重量％以上のものでは、熱溶融押出しされたエチレン−酢酸ビニル共重合体層の滑性が悪く製品化が困難でありかつ酢酸ビニル臭が強くなるために使用できない。エチレン−酢酸ビニル共重合層22,23 の厚さとしては、薄くする程透湿度が大きくなるので好ましいのであるが、押出ラミネーシヨン加工時の作業性の面で問題があり、厚くなると押出ラミネーシヨン加工時の作業性の問題はなくなるが透湿度が低下する。したがって、エチレン−酢酸ビニル共重合体層22,23 の厚さとしては１０〜２０μが適当である。
【００２１】
外装材1,1'を構成する２軸延伸プラスチック層11としては、２軸延伸ポリプロピレン、２軸延伸ポリエチレンテレフタレート等が適している。外装材1,1'に形成する細孔４としては、直径が約０．１〜１．０ｍｍの太さの針により突き刺して形成されるものである。突き刺しにより形成される細孔４の大きさは、針の太さにより決まるものであるが、直径が１．０ｍｍ程度の太さの針を使用して先端の尖った部分の突き刺す深さにより細孔４の大きさを変化させることもできる。第１、第２実施形態の乾燥剤用包装袋の透湿度の調整は、内装材2,2'の透湿度を乾燥剤用包装袋として必要な最大の透湿度となるように設定しておき、外装材１に形成する細孔４の大きさ、数により外装材１の透湿度を調整することにより行うことができる。第３実施形態の乾燥剤用包装袋の透湿度の調整は、内装材2,2'の透湿度を乾燥剤用包装袋として必要な最大の透湿度に設定するとともに、外装材1'の透湿度を乾燥剤用包装袋として必要な最小の透湿度となるように設定しておき、熱接着部3a,3b において外装材1'と内装材2,2'との接着を部分的に剥離することにより、乾燥剤用包装袋としての透湿度を使用目的に合った適当な透湿度に調整することができるものである。
【００２２】
本発明の乾燥剤用包装袋の製造方法としては、先ず、細孔を形成していない外装材および内装材をそれぞれ作製する。外装材に細孔を形成するには、外装材を所定の巾にカットする工程にて針により突き刺して形成するか、ないしは乾燥剤の自動充填包装工程にて針により突き刺して形成することができる。自動充填包装工程にて突き刺し孔を形成する場合は、それぞれ細孔の形成されていない外装材と内装材とを別々のロールから供給し、外装材に細孔を形成してから外装材の内面側に内装材と重ね合わせて周縁を熱接着することにより乾燥剤の自動充填包装を行う。前もって細孔が形成された外装材と細孔が形成されていない内装材とを別々のロールから供給し、外装材の内面側に内装材と重ね合わせて周縁を熱接着することにより乾燥剤の自動充填包装を行うこともできる。細孔が形成された外装材と内装材とを重ね合わせて部分的に接着した状態で自動充填包装機にかける場合には、広巾の状態で外装材に所定の細孔を突き刺しにより形成した後に、内装材と重ね合わせて所定位置にて部分的に熱接着して外装材と内装材とを固定した後に、所定の巾にカットする方法で行う。突き刺し孔を形成する装置としては表面に所定の太さの針を所定間隔で埋め込んだロールを使用して連続で行ってもよいし、所定の太さの針を所定間隔で埋め込んだ突き刺し板を使用して間欠的に行ってもよい。
【００２３】
実施例１
厚さ２０μの２軸延伸ポリプロピレンフイルムの一方の面に印刷インキ工業連合会の制定した「食品包装材料用印刷インキに関する自主規制」（ＮＬ規制）に適合する緑色のインキで細かい文字を含む絵柄を印刷した後に、印刷面に厚さ２０μのポリエチレンを押出しラミネーションにより積層した積層体に、径が０．５ｍｍの針を使用して突き刺すことにより１ｍ2 当たり２５００個の割合で細孔を形成して外装材を作製した。一方、厚さが５５μで密度が８本×８本／インチのポリエチレンクロス（萩原工業製）の片面に、酢酸ビニル含有率が１９重量％でＭＩが１５のエチレン−酢酸ビニル共重合体を１３μの厚さで押出しラミネーシヨンにより積層して内装材を作製した。上記で得られた外装材および内装材を所定の巾にカットしてロール状とし、ポリエチレン層面と内装材のポリエチレンクロス面とが接するように重ね合わせた状態で、自動充填包装機に装着し周縁部を熱接着して乾燥剤用包装袋を作製した。得られた乾燥剤用包装袋に印刷された細かい文字は２軸延伸ポリプロピレンフイルムを通して鮮明に読み取ることができた。
【００２４】
【発明の効果】
以上の通り、本発明の乾燥剤用包装袋は、外面から順に２軸延伸プラスチック層と印刷層と熱可塑性樹脂層とが積層され細孔が形成された外装材の内面に、ポリオレフィン系樹脂からなる格子網状補強材層と酢酸ビニル含有率が６〜３０重量％のエチレン−酢酸ビニル共重合体層とが積層された細孔が形成されていない内装材を重ね合わせ、前記内装材を内側にして前記熱可塑性樹脂層と格子網状補強材層とを周縁の熱接着部で接着一体化し熱接着部以外の領域では外装材と内装材とが分離して空隙を形成した構成からなることを特徴とする。また本発明の乾燥剤用包装袋は、外面から順に２軸延伸プラスチック層と印刷層と熱可塑性樹脂層とが積層され細孔が形成された外装材の内面に、ポリオレフィン系樹脂からなる格子網状補強材層と該格子網状補強材層の両面に酢酸ビニル含有率が６〜３０重量％のエチレン−酢酸ビニル共重合体層とが積層された細孔が形成されていない内装材を重ね合わせ、前記内装材を内側にして前記熱可塑性樹脂層と前記エチレンー酢酸ビニル共重合体層とを周縁の熱接着部で接着一体化し熱接着部以外の領域では外装材と内装材とが分離して空隙を形成した構成からなる。よって、印刷層が２軸延伸プラスチック層の内面に設けられているので、一緒に包装される食品等に印刷層が接触することがなく、且つ印刷層に細かい文字等がある場合でも透明な２軸延伸プラスチック層を通して鮮明に読み取ることができる。また、内装材に酢酸ビニル含有率が６〜３０重量％のエチレン−酢酸ビニル共重合体層を積層することにより細孔を形成しなくとも必要な透湿度が得られるので、細孔から乾燥剤の微粉末が漏れ出してくることがない。更に、乾燥剤用包装袋に紙層を使用しないので紙粉が食品等に付着することもない。
【００２５】
上記の乾燥剤用包装袋において、外装材に形成する細孔を突き刺し孔とすることで、簡単な穿孔装置により細孔を形成でき且つ形成する細孔の数を変更しやすいので乾燥剤用包装袋に必要な任意の透湿度が容易に得られるとともに、細孔の径が小さいので印刷層に細かい文字がある場合でも細孔による影響はなく鮮明に読み取ることができる。
【００２６】
上記の乾燥剤用包装袋において、エチレン−酢酸ビニル共重合体層の厚さを１０〜２０μとすることにより、内装材に細孔を形成しなくとも乾燥剤用包装袋として必要な適度の透湿度を確保することができる。
【００２８】
上記の乾燥剤用包装袋において、少なくとも前記熱接着部の一部を、袋の端縁より所定の寸法だけ内側の位置に形成され、前記熱可塑性樹脂と前記格子網状補強材層もしくは前記エチレンー酢酸ビニル共重合体層とが剥離可能であることにより、熱接着部の外側の熱接着されていない部分から外装材と内層材間の接着を剥離させることにより乾燥剤用包装袋の吸湿速度を変化させることが可能になる。
【００２９】
上記の乾燥剤用包装袋において、外装材と内装材とを重ね合わせ部分的に接着した状態で周縁を熱接着部により密封した構成とすることにより、乾燥剤を自動充填包装する際に重ね合わされた外装材と内装材とがずれることによりしわが発生したり、袋の密封性不良が発生するのを防止することができる。
【図面の簡単な説明】
【図１】本発明の第１実施形態を示す平面図。
【図２】本発明の第１実施形態の構成を示す図１におけるＩ−Ｉ断面図。
【図３】本発明の第２実施形態の構成を示す図２に対応した断面図。
【図４】本発明の第３実施形態を示す平面図。
【図５】本発明の第３実施形態の構成を示す図４におけるＩ−Ｉ断面図。
【符号の説明】
1, 1’  外装材
2, 2’  内装材
3a, 3b  熱接着部
４  細孔
５  非熱接着部
11  ２軸延伸プラスチック層
12  印刷層
13, 13’  熱可塑性樹脂層
21  格子網状補強材層
22，23  エチレン−酢酸ビニル共重合体層
【図１】
0004010626.tif 000002
【図２】
0004010626.tif 000003
【図３】
0004010626.tif 000004
【図４】
0004010626.tif 000005
【図５】
0004010626.tif 000006